(57)【要約】      （修正有）【課題】円柱形状に圧密成形され、かつ密封されていて、流通性に優れた完熟堆肥の製造方法を提供することを目的とする。【解決手段】完熟した家畜ふん堆肥に、必要に応じて、成形及び成形状態を維持できるまで成形助長添加材及び／又は水を添加した後、細断型ロールベーラに供給してロールベール成形を行い、次いでベールラッパにより密封することを特徴とする、流通性に優れた完熟堆肥の製造方法を提供すると共に、前記方法により得られる、流通性に優れた完熟堆肥を提供する。【選択図】図２
2007169077.tif 000002
【特許請求の範囲】
【請求項１】
完熟した家畜ふん堆肥に、必要に応じて、成形及び成形状態を維持できるまで成形助長添加材及び／又は水を添加した後、細断型ロールベーラに供給してロールベール成形を行い、次いでベールラッパにより密封することを特徴とする、流通性に優れた完熟堆肥の製造方法。
【請求項２】
成形助長添加材が、イナワラ切断物、オガクズ及びモミガラよりなる群から選ばれた少なくとも１種のものである請求項１記載の方法。
【請求項３】
請求項１又は２記載の方法により得られる、流通性に優れた完熟堆肥。
【発明の詳細な説明】
【技術分野】
【０００１】
本発明は流通性に優れた完熟堆肥の製造方法に関し、詳しくは円柱形状に圧密成形され、かつ密封されていて、取扱い性・流通性に優れた完熟堆肥の製造方法に関するものである。
【背景技術】
【０００２】
各地に建設されている堆肥センター等の堆肥生産・販売施設では、堆肥の注文を受けた場合、耕種農家への堆肥の輸送には、注文を受けた量をトラックの荷台に積載し、農家まで運搬するか、或いは直接堆肥散布車に積んで農家圃場まで運搬して散布を行う等、いわゆる「バラ販売・流通方式」で対応する以外に特別な流通方法がないのが現状である。
【０００３】
但し、規格化されたものとして、家庭菜園向けに20kg入り程度の量の袋に詰めたものはあるが、耕種農家で使うには小さすぎて無駄が多く、使用に耐える流通形態ではない。
また、１ｍ３程度のフレコンバッグで発酵・貯蔵・流通する方式も一部で導入されているが、１袋が500ｋｇ程度と重く、ハンドリングしにくい、バッグを再利用するために収集する必要がある、等が問題となっている。
【０００４】
ところで、上述のバラ販売・流通方式では、運搬用トラック等の荷台への積み込み、荷下ろしにホイールローダ等の機械を用いることになるが、この際にこぼれによる損失が避けられない。
【０００５】
しかも、上記の如き従来の方式では、この他に、（１）密度が低いため容積がかさばり運搬効率が悪い、（２）購入した農家は大きな貯蔵場所が必要である、（３）臭気の発生や外観が良くない、（４）運搬用トラックを汚染する等の問題がある。
【０００６】
耕種と畜産との連携には、耕種において堆肥の利用が進展することが重要である。
しかしながら、上記したように、堆肥はそのままでは取り扱いが容易ではなく、しかも流通体系が未整備であるため、環境保全や土壌環境の改善等に有効であることが認識されながら、積極的な利用がしにくい状況であり、取り扱い性・流通性に優れた堆肥の流通方法の開発が望まれていた。
【発明の開示】
【発明が解決しようとする課題】
【０００７】
本発明は、このような従来の課題を解消し、円柱形状に圧密成形され、かつ密封されていて、流通性に優れた完熟堆肥の製造方法を提供することを目的とするものである。
即ち、本発明は、運搬効率が高く、また貯蔵するのにそれほど大きな場所を必要とせず、しかも臭気の発生も抑えられていて、極めて流通性に優れた完熟堆肥の製造方法を提供することを目的とするものである。
【課題を解決するための手段】
【０００８】
本発明者らは、上記従来の問題点を解決するため、鋭意検討を重ねた。その結果、本発明者らは、完熟堆肥を細断型ロールベーラにより高密度のロールベールに成形することにより、流通・保存に利用できることを見出し、この知見に基づいて本発明を完成するに至った。
【０００９】
請求項１に係る本発明は、完熟した家畜ふん堆肥に、必要に応じて、成形及び成形状態を維持できるまで成形助長添加材及び／又は水を添加した後、細断型ロールベーラに供給してロールベール成形を行い、次いでベールラッパにより密封することを特徴とする、流通性に優れた完熟堆肥の製造方法を提供するものである。
請求項２に係る本発明は、成形助長添加材が、イナワラ切断物、オガクズ及びモミガラよりなる群から選ばれた少なくとも１種のものである請求項１記載の方法を提供するものである。
請求項３に係る本発明は、請求項１又は２記載の方法により得られる、流通性に優れた完熟堆肥を提供するものである。
【発明の効果】
【００１０】
本発明により得られる完熟堆肥は、円柱形状に圧密成形され、かつ密封されていることから、本発明によれば、取扱い性・流通性に優れた完熟堆肥の製造方法が提供される。
即ち、本発明によれば、運搬効率が高く、また貯蔵するのにそれほど大きな場所を必要とせず、しかも臭気の発生も抑えられていて、極めて取扱い性・流通性に優れた完熟堆肥の製造方法が提供される。
さらに、敷衍すれば、本発明によれば、完熟堆肥流通のための円柱形状圧密成形密封法が提供される。
従って、本発明によれば、完熟堆肥の流通を促進し、耕種において堆肥の利用を進展させることができ、もって耕種と畜産との連携を図ることができる。
【発明を実施するための最良の形態】
【００１１】
請求項１に係る本発明は、流通性に優れた完熟堆肥の製造方法に関し、完熟した家畜ふん堆肥に、必要に応じて、成形及び成形状態を維持できるまで成形助長添加材及び／又は水を添加した後、細断型ロールベーラに供給してロールベール成形を行い、次いでベールラッパにより密封することを特徴とするものである。
【００１２】
請求項１に係る本発明においては、完熟した家畜ふん堆肥を用いる。
完熟した家畜ふん堆肥としては、例えば牛、豚、羊などの家畜のふんを完熟させた堆肥を用いることができる。より具体的には、例えば育成牛ふんを堆積方式で６週間程度発酵させた堆肥を挙げることができるが、これに限定されるものではない。
なお、完熟した家畜ふん堆肥としては、通常、水分が６０％程度以下のものを用い、可能であれば５０％以下のものを用いる。このようなものを用いることが保存性（保存中の品質一定）や運搬効率の面から好ましいが、これに限定されるものではない。なお、一般に、良い堆肥と言われるものは完熟した堆肥のことで、このものはかなり乾燥していて、臭いもなく、バサバサしており、これのみではかなり成形及び成形状態を維持しにくい。
この完熟した家畜ふん堆肥の水分や、後述する繊維性成分からなる成形助長添加材の添加量は、完熟堆肥の成形化可否判定材料となる。
【００１３】
次に、本発明においては、必要に応じて成形助長添加材及び／又は水を添加する。
即ち、上記の完熟した家畜ふん堆肥のみで成形及び成形状態を維持できるのであれば添加する必要はないが、上記の完熟した家畜ふん堆肥のみでは成形できない場合及び成形後崩壊する場合には、成形及び成形状態を維持できるまで、換言すると、成形できるまで、乃至は成形状態を維持できるまで、これに成形助長添加材及び／又は水を添加する。
ここで成形助長添加材とは、文字通り前記家畜ふん堆肥の成形を助長する添加材をいう。具体的には、繊維性成分からなるものが好ましく、請求項２に記載したように、イナワラ切断物、オガクズ及びモミガラよりなる群から選ばれた少なくとも１種のものが挙げられ、これらの１種を単独で、又は２種以上を混合して用いることができる。この他、バガスなどの繊維性成分を用いてもよい。
【００１４】
請求項１に係る本発明においては、上記した完熟した家畜ふん堆肥に、必要に応じて、成形及び成形状態を維持できるまで成形助長添加材及び／又は水を添加し、混合する。
本発明においては、他に添加剤は不要である。完熟した家畜ふん堆肥に成形助長添加材及び／又は水を添加する場合には、これらが均一となるように混合する。混合は、例えばミキサー等で十分に行う必要があり、後は後述する細断型ロールベーラのホッパ中で混合される。
成形助長添加材及び／又は水の添加量は、前記家畜ふん堆肥が後述する細断型ロールベーラによってロールベール成形及び成形状態を維持できる範囲であれば良く、家畜ふん堆肥の性状や水分含量などによって異なり、一義的に定めることはできない。成形及び成形状態を維持可能な範囲の最低限度ということができる。
成形助長添加材の添加量は、完熟堆肥としての意味から言って、一般に２０質量％以下とし、できれば必要最小限度の量とするのがよいが、必ずしもこれに限定されるものではない。ここで、成形助長添加材の添加量が、２０質量％を超えると、最終的に得られる完熟成形堆肥のうちの堆肥成分の量が減り過ぎてしまうため好ましくない。
なお、成形助長添加材の添加は積極的に行う必要はなく、例えば完熟した家畜ふん堆肥として、敷きわら（イナワラを長さ１０ｃｍ程度に切断したもの）が混入した育成牛ふんを堆積方式で６週間程度発酵させた堆肥（水分60％程度）を用いてもよい。
【００１５】
次に、上記のようにして完熟した家畜ふん堆肥に、必要に応じて、成形及び成形状態を維持できるまで成形助長添加材及び／又は水を添加した後、細断型ロールベーラに供給してロールベール成形を行う。図１は、細断型ロールベーラに、完熟した家畜ふん堆肥と成形助長添加材との混合物（以下、堆肥混合物と称することがある。）を投入している模様の１例を示す写真像図である。
【００１６】
細断型ロールベーラとしては、飼料のロールベール成形に用いられているものをそのまま使用することができる。
即ち、細断型ロールベーラは、細切された材料を高密度のロールベールに成形し、ラップフィルムで梱包できる状態を提供できる装置であり、トウモロコシをはじめとする飼料作物収穫に適用され始めているが、これをそのまま用いることができる。
図２は、このようにしてロールベール成形された堆肥混合物の１例を示す写真像図である。ロールベール成形により、円柱形状に圧密成形されている。
【００１７】
次いで、このようにしてロールベール成形された堆肥混合物をベールラッパにより密封する。
図３は、ベールラッパにより、ロールベール成形された堆肥混合物を密封している模様の１例を示す写真像図である。
ベールラッパとしては、一般に飼料のベールラップに用いられているものや、細断ロールベール専用ラッパをそのまま使用することができる。
【００１８】
このようにして、目的とする流通性に優れた完熟堆肥を製造することができる。
図４は、このようにして製造された完熟堆肥（ラップ堆肥）の１例を示す写真像図である。
【００１９】
請求項３に係る本発明は、このようにして得られる、流通性に優れた完熟堆肥を提供するものである。
このようにして製造された完熟堆肥は、円柱形状に圧密成形され、さらに密封されている。このため、取扱い性・流通性に優れたものとなっている。
【００２０】
即ち、このようにして製造された完熟堆肥は、堆肥の密度が乾物換算で従来方式の２倍程度になるため、大幅な減容積が実現でき、細断型ロールベーラの利用により、均一質量のロールベールとして扱うことができるため、取扱い性・流通性が向上している。
さらに、このようにして製造された完熟堆肥は、密封されているため、堆肥の品質は保持される。運搬には、一般の流通用トラックを汚染することなく使用できるため、扱いが容易になり、流通段階のこぼれによる損失も排除できるなど、様々な利点を有する。
【実施例】
【００２１】
次に、本発明を実施例により説明するが、本発明はこれらによって制限されるものではない。
【００２２】
実施例１
図１〜図４に示すようにして、完熟堆肥を製造した。
即ち、完熟した家畜ふん堆肥として、敷きわら（イナワラを長さ１０ｃｍ程度に切断したもの）が乾物換算で約１５質量％混入した育成牛ふんを堆積方式で６週間程度発酵させた堆肥（水分60％程度）を用いた。
これを細断型ロールベーラに供給して（図１参照）ロールベール成形を行い（図２参照）、次いでベールラッパ（図３参照）により密封した。
その結果、図４に示すような、高密度に圧密成形され、さらに密封された完熟堆肥（高さ８５ｃｍ、直径８５ｃｍ、重さ３１５ｋｇ）を製造することができた。このものは、堆肥の乾物密度が、約２５０ｋｇ／ｍ３と乾物換算で従来方式の２倍程度であり、しかもベールラッパにより密封されているため、臭気の発生も抑えられていて、極めて取扱い性に優れたものであった。
さらに、運搬には、一般の流通用トラックが使用でき、扱いが容易になり、流通段階のこぼれによる損失も排除できた。
【００２３】
実施例２
実施例１において、完熟した家畜ふん堆肥として、育成牛ふんを堆積方式で６週間程度発酵させた堆肥（水分60％程度）を用い、これにオガクズを乾物換算で約１５質量％添加したこと以外は、実施例１と同様にして行った。
その結果、実施例１で得られたものと同様に、堆肥の乾物密度が、約２１２ｋｇ／ｍ３と乾物換算で従来方式の２倍程度であり、しかもベールラッパにより密封されているため、臭気の発生も抑えられていて、極めて取扱い性に優れたものであった。
さらに、運搬には、一般の流通用トラックが使用でき、扱いが容易になり、流通段階のこぼれによる損失も排除できた。
【００２４】
実施例３
実施例１において、完熟した家畜ふん堆肥として、育成牛ふんを堆積方式で６週間程度発酵させた堆肥（水分60％程度）を用い、これにモミガラを乾物換算で約１５質量％添加したこと以外は、実施例１と同様にして行った。
その結果、実施例１で得られたものと同様に、堆肥の乾物密度が、約２２２ｋｇ／ｍ３と乾物換算で従来方式の２倍程度であり、しかもベールラッパにより密封されているため、臭気の発生も抑えられていて、極めて取扱い性に優れたものであった。
さらに、運搬には、一般の流通用トラックが使用でき、扱いが容易になり、流通段階のこぼれによる損失も排除できた。
【産業上の利用可能性】
【００２５】
本発明によれば、完熟堆肥の流通を促進し、耕種において堆肥の利用を進展させることができ、もって耕種と畜産との連携を図ることができる。
本発明による円柱形状圧密成形密封法によれば、完熟堆肥を高密度のロールベールに密封するため、減容積と共に取扱い性が大幅に向上し、堆肥の流通体系に革命をもたらすものと考えられる。梱包に必要なネットとラップフィルムのコスト低減に向けた技術開発が進みつつある。さらに、これらに生分解性材料を使用することができれば、廃棄物の削減にもつながると期待される。
従って、本発明は、農畜産分野において有効に用いることができる。
【図面の簡単な説明】
【００２６】
【図１】細断型ロールベーラに、完熟した家畜ふん堆肥と成形助長添加材との混合物を投入している模様の１例を示す写真像図である。
【図２】ロールベール成形された堆肥混合物の１例を示す写真像図である。
【図３】ベールラッパにより、ロールベール成形された堆肥混合物を密封している模様の１例を示す写真像図である。
【図４】本発明の方法により製造された完熟堆肥の１例を示す写真像図である。
【図１】
2007169077.tif 000003
【図２】
2007169077.tif 000004
【図３】
2007169077.tif 000005
【図４】
2007169077.tif 000006